(57)【要約】      （修正有）【課題】上方から荷重が加わっても開口部付近の左右の側面部が変形することがなく、潰れることのない組立式靴箱を提供する。【解決手段】プラスチックシートから箱体を組立て、前方の側面部１１ｂ、１１ｄに対し折返部１１ｌ、１１ｍをそれぞれ内側に「レ」字状に折り込み、断面Ｕ字状の補強部材１２を側面部に押し込む。補強部材は側面部１１ｂ、１１ｄと折返部１１ｌ、１１ｍを挟み込み、折返部の端部を補強部材のＵ字端部に設けた係止部に引っ掛けることで係止され、側面部から抜け出なくなる。補強部材を箱体の開口部に取り付けることで上方からの耐荷重が大きくなるので、靴を収納した組立式靴箱１０を上下に複数個重ねて使用しても、変形することがない。【選択図】図２
0003188184.tif 000002
【実用新案登録請求の範囲】
【請求項１】
シート材を組立て前方に開口部を有する箱体と、一対の補強部材とから成る組立式靴箱であって、前記補強部材を前記開口部の左右の側面部の前端に沿って固定し、前記側面部の上下方向からの耐荷重を大きくしたことを特徴とする組立式靴箱。
【請求項２】
前記側面部の前端の左右の側端に内側に折り畳む折返部を備え、前記補強部材は、断面がＵ字状であり、少なくとも一方の端部に内側に向く係止部を備え、前記側面部、折返部に対し前記補強部材を押し込み、前記折返部の端部を前記係止部により係止して前記補強部材を固定したことを特徴とする請求項１に記載の組立式靴箱。
【請求項３】
前記開口部は底面部から延設した開口下部と、上面板から延設した開口上部とを重ねて閉止することを特徴とする請求項１又は２に記載の組立式靴箱。
【考案の詳細な説明】
【技術分野】
【０００１】
本考案は、複数個を積み重ねた状態で使用し、耐荷重性を有する組立式靴箱に関するものである。
【背景技術】
【０００２】
特許文献１には、正面部から靴を出し入れ可能とするプラスチックシートから成る靴の収納箱が開示されている。そして、組み立てた収納箱を複数個積み重ねた状態で多くの靴を保管することができる。
【０００３】
また、素材がプラスチックであるため、外から靴が透けて見えるので、容易に収納箱の中の靴を確認することができ、開閉自在の正面部を介して靴を容易に出し入れすることができる。
【先行技術文献】
【特許文献】
【０００４】
【特許文献１】実開平４−６８８１０号公報
【考案の概要】
【考案が解決しようとする課題】
【０００５】
この特許文献１における収納箱は、正面部を閉じた状態では、積み重ねても上方からの荷重に対して収納箱が押し潰されることはない。しかし、積み重ねた状態で、下方の収納箱から靴を取り出す場合に、上方からの荷重の支えとなっていた正面部が開かれることで積み重ねられた上方の収納箱へ荷重に対する支えが弱くなる。
【０００６】
この場合に、開口部付近の左右の側面部で上方からの荷重を支えることになるが、荷重が大きいと左右の側面部が圧縮されて変形してしまうという問題がある。この変形により上方に積み重なった収納箱が荷崩れを起こすと共に、再び正面部を閉じることが極めて面倒となる。
【０００７】
また、収納箱の材質はプラスチック材であるため、一旦開口部付近の左右の側面部が変形してしまうと変形癖がついてしまい、正面部を開く度に変形状態となり、収納箱の荷崩れが慢性的に発生するという問題も生ずる。
【課題を解決するための手段】
【０００８】
上述の目的を達成するための本考案に係る組立式靴箱は、シート材を組立て前方に開口部を有する箱体と、一対の補強部材とから成る組立式靴箱であって、前記補強部材を前記開口部の左右の側面部の前端に沿って固定し、前記側面部の上下方向からの耐荷重を大きくしたことを特徴とする。
【考案の効果】
【０００９】
本考案に係る組立式靴箱によれば、開口部付近の左右の側面部を補強部材で補強することで、上方から荷重が掛かった状態で開口部が開いたとしても、左右の側面部が変形することがなくなり、箱体が潰れることはない。
【図面の簡単な説明】
【００１０】
【図１】シート材の展開図である。
【図２】組立中の斜視図である。
【図３】補強部材の断面図である。
【図４】補強部材を装着する説明図である。
【図５】組立後の斜視図である。
【考案を実施するための形態】
【００１１】
本考案を図示の実施例に基づいて詳細に説明する。
図１は組立式靴箱１０の主材となるシート材１１の展開図であり、図２は組立式靴箱１０の組立中の斜視図である。組立式靴箱１０は折線に沿って折曲可能なシート材１１と、一対の補強部材１２とから構成され、シート材１１は透明又は半透明の硬質の例えば厚み０．３ｍｍ程度のプラスチック製とされている。
【００１２】
また、シート材１１を図２のように組み立てると開口部の高さ１３ｃｍ、幅２０ｃｍ、奥行き３３ｃｍ程度の大きさの組立式靴箱になる。女性用、男性用、子供用等の靴の大きさに合わせてシート材の大きさを適宜に採用して、複数の大きさの組立式靴箱１０を製造することも可能である。
【００１３】
図１に示すように、シート材１１は箱体を組み立てるためプラスチックシートを打ち抜いて形成され、一点鎖線で示す内折線により区画されている。即ち、底面部１１ａの一方の長辺側に、内折線を介して左側面部１１ｂ、上面部１１ｃ、右側面部１１ｄが順に連設されている。底面部１１ａの他方の長辺側には、右側面部１１ｄの長辺近傍に接着するための接着片１１ｅが連設されている。
【００１４】
また、底面部１１ａ、左側面部１１ｂ、上面部１１ｃ、及び右側面部１１ｄのそれぞれ一方の短辺側には、箱体を奥部で閉塞するためのそれぞれ形状が異なる閉塞部１１ｆ〜１１ｉが連設されている。更に、上面部１１ｃの開口部側となる他方の短辺には、台形状の開口上部１１ｊが内折線を介して連設されている。
【００１５】
また、底面部１１ａの他方の短辺には、長方形状の開口下部１１ｋが連設されており、この開口下部１１ｋの短辺の長さは、左側面部１１ｂ及び右側面部１１ｄの短辺Ｄの長さと略一致する。左側面部１１ｂ及び右側面部１１ｄの他方の短辺Ｄには、折返部１１ｌ、１１ｍがそれぞれ連設されている。
【００１６】
開口上部１１ｊの略中央には上方に向けて半円弧状に切り込みを入れた係止片１１ｎが形成され、開口下部１１ｋの中央上部には係止片１１ｎを係止するための被係止部である矩形状の孔部１１ｏが設けられている。
【００１７】
また、図示は省略するが左側面部１１ｂ及び右側面部１１ｄの中心近辺に直径３ｍｍ程度の空気孔を複数設けるようにしてもよい。更に、左側面部１１ｂ及び右側面部１１ｄの何れか一方に幅１〜２ｃｍの２個のスリット部を形成し、これらのスリット部に両端が鉤状の持手部を有したシート片を指し込んで、シート片を保持するようにしてもよい。
【００１８】
補強部材１２は厚み１ｍｍ程度のプラスチック材から構成され、図３に示すようなＵ字状の断面を有し、高さが側面部１１ｂ、１１ｄの短辺Ｄの長さと略一致し、幅は１ｃｍ程度とされている。補強部材１２はプラスチック材以外にも金属製を採用してもよい。また、Ｕ字の両端に内方に向けて係止部１２ａが形成されている。実施例では、係止部１２ａは両端に設けているが、係止すべき折返部１１ｌ、１１ｍが位置する何れか一方の端部のみに設けるようにしてもよい。
【００１９】
このシート材１１を組立式靴箱１０に組み立てるに際しては、最初に底面部１１ａ、左側面部１１ｂ、上面部１１ｃ、右側面部１１ｄを長辺の内折線を介してそれぞれ直角に内方に折り曲げ、接着片１１ｅを右側面部１１ｄに開放する長辺近傍の内側に接着して筒状に保持する。なお、接着片１１ｅを接着することなく、右側面部１１ｄの開放している長辺に係止片を設け、底面部１１ａと接着片１１ｅの内折線の近傍に切込部を設け、係止片をこの切込部に係止して箱体を保持するようにしてもよい。
【００２０】
次に、断面四角形の筒状のシート材１１の各閉塞部１１ｆ〜１１ｉを折り曲げて相互に嵌め込むことで箱体の奥部を閉塞する。続いて、側面部１１ｂ、１１ｄに対し折返部１１ｌ、１１ｍをそれぞれ内側に「レ」字状に折り込み、補強部材１２を図４（ａ）、（ｂ）に示すように、前方の開口部の両側に面する側面部１１ｂ、１１ｄに挿し込む。なお、図４は片側の側面部１１ｄのみを図示している。
【００２１】
開口部の左側面部１１ｂ及び右側面部１１ｄの前端に沿って補強部材１２を押し込むことで固定される。押し込んだ補強部材１２により、側面部１１ｂ、１１ｄと折返部１１ｌ、１１ｍを挟み込み、折返部１１ｌ、１１ｍの端部が係止部１２ａに引っ掛けることで係止され、補強部材１２は側面部１１ｂ、１１ｄから抜け出なくなる。
【００２２】
このように一対の補強部材１２を図２の矢印の方向にスライドさせて箱体の開口部に取り付けることで、組立式靴箱１０の組み立ては完了する。組立式靴箱１０内に靴を入れ、図５に示すように開口部の開口下部１１ｋ、開口上部１１ｊを閉止する。このとき、開口下部１１ｋの孔部１１ｏに開口上部１１ｊの係止片１１ｎを係止し、開口下部１１ｋ、開口上部１１ｊ同士が容易に開かないようにする。
【００２３】
靴を収納した組立式靴箱１０を上下に複数個重ねて使用した場合に、下方の組立式靴箱１０の開口部を開いたとしても、左側面部１１ｂ及び右側面部１１ｄの上下方向への強度を備える補強部材１２によって、組立式靴箱１０は上方からの耐荷重を大きくしたので変形することはない。
【００２４】
また、靴を組立式靴箱１０から取り出す際に、靴の一部が補強部材１２の側部に当接したとしても、係止部１２ａが折返部１１ｌ、１１ｍの端部に引っ掛かっているため、靴の取り出しと共に補強部材１２が外れてしまうことはない。
【００２５】
また、組立て前の平面状のシート材１１及び補強部材１２は嵩張ることがないので重ねることで大量に運搬することが可能である。更に靴を収納しない時は係止部１２ａを拡げて補強部材１２をシート材１１からなる箱体から取り外し、箱体を平面状のシート材１１に折り畳んで保管することもできる。
【００２６】
また、前述の空気孔から適宜に外気が入るため、組立式靴箱内の温度及び湿度は外気と同じとなる。更に組立式靴箱１０の側面に持手部を有したシート片を取り付けることで片手で組立式靴箱１０を持ち上げることが可能となり、組立式靴箱１０の持ち運び等を容易に行うことができる。
【符号の説明】
【００２７】
１０  組立式靴箱
１１  シート材
１１ａ  底面部
１１ｂ  左側面部
１１ｃ  上面部
１１ｄ  右側面部
１１ｅ  接着片
１１ｆ〜１１ｉ  閉塞部
１１ｊ  開口上部
１１ｋ  開口下部
１１ｌ、１１ｍ  折返部
１１ｎ  係止片
１１ｏ  孔部
１２  補強部材
１２ａ  係止部
【図１】
0003188184.tif 000003
【図２】
0003188184.tif 000004
【図３】
0003188184.tif 000005
【図４】
0003188184.tif 000006
【図５】
0003188184.tif 000007